(57)【特許請求の範囲】
【請求項１】
可動性一次的担体バンド（１）から可動性二次的担体バンド（２）上に感圧性接着性積層体（３）または積層体部分を分配し、前記積層体（３）が、分配装置端部（４）の周囲に一次的バンド（１）をたわませることにより脱離され、二次的バンド（２）上に分配され、それによって、一次的バンド（１）に少なくとも１つの分離線または所定の破断線を設けることにより、これを少なくとも２つのストリップ（５、５’）に細分し、該ストリップを分配装置端部（４）の別個の部分（４’、４”）から個別に引く方法であって、分配装置端部（４）を、第１のサイクルにおいて、バンドの移動の方向に移動させ、感圧性接着性積層体（３）または積層体部分の分配中または分配後に、バンドの移動の方向に対向して、さらなるサイクルにおける開始位置に戻すことを特徴とする、前記方法。
【請求項２】
分配装置端部（４）の少なくとも２つの部分を、非線型方式で配置することを特徴とする、請求項１に記載の方法。
【請求項３】
分配装置端部４の２つの部分（４’、４”）が、１°〜１７９°または１８１°〜３５９°の角度にわたることを特徴とする、請求項１または２に記載の方法。
【請求項４】
分配装置端部の２つの部分（４’、４”）を、互いにバンドの移動の方向に、ある距離をおいて配置することを特徴とする、請求項１〜３のいずれかに記載の方法。
【請求項５】
一次的バンド（１）が少なくとも３つのストリップ（５、５’、５”）に分離されており、一次的バンド（１）の１または２以上の内部ストリップ（５”）を、分配装置端部（４）の第１の部分においてたわませ、外部ストリップ（５、５’）をその後分配装置端部（４）の他の部分においてたわませることを特徴とする、請求項１〜４のいずれかに記載の方法。
【請求項６】
一次的バンド（１）の少なくとも２つのストリップを、感圧性接着性積層体（３）から、連続的に、いくつかの段階で剥離することを特徴とする、請求項１〜５のいずれかに記載の方法。
【請求項７】
一次的バンド（１）の少なくとも２つのストリップを、感圧性接着性積層体（３）から、同時に剥離することを特徴とする、請求項１〜６のいずれかに記載の方法。
【請求項８】
一次的バンド（１）を、二次的担体バンド（２）に対して、二次的担体バンド（２）の移送速度に等しいか、またはこれより低い移送速度で導くことを特徴とする、請求項１〜５のいずれかに記載の方法。
【請求項９】
一次的バンド（１）および／または二次的バンド（２）を、連続的にまたは間欠的に移送することを特徴とする、請求項１〜８のいずれかに記載の方法。
【請求項１０】
可動性一次的担体バンド（１）から可動性二次的担体バンド（２）上に感圧性接着性積層体（３）または積層体部分を移送し、前記積層体（３）が、分配装置端部（４）の周囲に一次的バンド（１）をたわませることにより脱離され、二次的バンド（２）上に分配され、一次的担体バンド（１）および二次的担体バンド（２）および分配装置端部（４）を備えた装置であって、これが、一次的バンド（１）に、移動の方向におけるこの移動の間に、少なくとも１つの分離または所定の破断線が設けられるように配置された分離手段を有することを特徴とする、前記装置。
【請求項１１】
分離手段が、固定刃、回転切断ローラーまたは回転ナイフであることを特徴とする、請求項１０に記載の装置。
【請求項１２】
分配装置端部（４）が、少なくとも２つの部分（４’、４”）を、非線型配列で有することを特徴とする、請求項１０または１１に記載の装置。
【請求項１３】
少なくとも２つの部分（４’、４”）が、１°〜１７９°または１８１°〜３５９°の角度を形成することを特徴とする、請求項１０〜１２のいずれかに記載の装置。
【請求項１４】
少なくとも２つの部分（４’、４”）が、互いにバンドの移動の方向に、ある距離をおいて配置されていることを特徴とする、請求項１０〜１３のいずれかに記載の装置。
【請求項１５】
分離または所定の破断線が、一次的バンド（１）中に、分配装置端部の部分の末端点上に正確に通じていることを特徴とする、請求項１０〜１４のいずれかに記載の装置。
【請求項１６】
分配装置端部（４）の中央領域中に配置されている分配装置端部（４）の第１の部分および、分配装置端部（４）の外部領域中に配置されている分配装置端部（４）の他の部分が、一次的バンドの移動の方向に対して直角に構成されていることを特徴とする、請求項１０〜１５のいずれかに記載の装置。
【請求項１７】
分配装置端部（４）のＶ型プロフィルが、バンドの移動の方向に通じている切断線（１０、１０’）の両側に、少なくとも１つの前記積層体（３）が脱離される位置に設けられていることを特徴とする、請求項１０〜１６のいずれかに記載の装置。
【請求項１８】
分配装置端部（４）が、バンドの移動の方向に、内側に面する折り目を有することを特徴とする、請求項１０〜１７のいずれかに記載の装置。
【請求項１９】
分配端部４の下流で、二次的担体バンド（２）が、バンド移動の方向において、移送部位に、ローラー（１５）または曲線的たわみ端部の形態のたわみ装置により進行することを特徴とする、請求項１０〜１８のいずれかに記載の装置。
【発明の詳細な説明】
【０００１】
本発明は、可動性一次的担体バンドから可動性二次的担体バンドへ、感圧性接着性積層体または積層体部分を分配し、前記積層体が、分配装置端部(dispenser edge)の周囲に一次的バンドをたわませることにより脱離され、二次的バンド上に分配される方法に関する。
【０００２】
表面上で接着性の感圧性接着性積層体部分をいかにして製造し、用いるかは、知られている。これらは、例えば、ラベル、ステッカー、経皮的治療系（ＴＴＳ）または両面接着テープであることができる。これらの積層体部分の感圧性接着表面または感圧性接着性となったマトリックスは、典型的には、これを超えて少なくとも部分的に突出する担体バンドにより覆われている。技術的には、これらの積層体部分は、これに連結されたマトリックスおよびまたは支持体層に、担体ウェブまで適切な工具により穴をあけ、マトリックスおよび背面層の突出する格子(lattice)を剥離して除去し、廃棄することにより、製造される。
【０００３】
皮膚または経皮的治療、感圧性接着性積層体部分のこの種類の製造において、担体バンドの表面被膜は、マトリックスまたはマトリックスに連結された背面層を通して穴をあけることにより損傷を受け得るが、これは、長期間の保存の場合、特に低温の流れの強力な傾向を有する治療系の場合において、担体層からのマトリックスの放出において問題を生じ、マトリックスを、平滑にされていない担体層との感圧性接着を意図的でなく形成せしめる。
【０００４】
しかし、この問題は、経皮的プラスターを、これらを最初の積層体から最終的な二次的担体層に穴あけすることによる、積層体の部分の分離に続いて移送することにより回避することができる。対応する方法は、WO97/22315に記載されている。この方法は、移送されるべき経皮的治療系を、分配装置端部の周囲に案内する際に一次的担体バンドから放出させることができ、従って、最終的な二次的担体バンドに移送することができるという必要条件を有する。しかし、マトリックスの接着力が、ある値を超える場合には、この方法は、もはや、適用することができない。その理由は、この場合における感圧性接着性マトリックスが、もはや、担体バンドから脱離可能ではなく、一次的担体バンドに沿ってたわむからである。
【０００５】
例えばWO97/22315に記載されている、既知の分配方法において、分離した積層体部分を有する一次的担体バンド、例えばプラスターは、分配端部の上の移送の方向に案内され、方法におけるプラスターは、担体バンドから、プラスターの全体的な幅に沿って剥離される。ここで、剥離プロセスは、バンドの方向に行われる。一次的担体層へのプラスターの接着が、極めて強力である場合には、これは、極めて鋭角の分配角度の場合においても、プラスターに、一次的担体層に沿って端部の周囲に、これから脱離させずに引かせ、従って分配プロセスを不可能にし得る。
【０００６】
従来技術から出発して、本発明の目的は、述べた困難および技術的制限を克服し、前述の部分を分配装置端部の周囲でたわませることにより、これらの担体バンドから強力に感圧性の接着性積層体部分を脱離させるのにも、および前述の部分を可動性二次的担体バンド上に分配するのに容易に適する、請求項１の導入部分において述べた種類の方法および装置を示すことにある。
【０００７】
この目的は、本発明により、請求項１の導入部分に述べた種類の方法において、一次的バンドを少なくとも２つのストリップに分離するかまたは、一次的バンドに、対応する所定の破断線を設け、ストリップを、分配装置端部において個別にたわませ、および、本方法において、感圧性接着性積層体をストリップから脱離し、これらを二次的バンド上に分配することにより、解決される。
【０００８】
本発明の方法の本質的態様は、分配装置端部を、第１の担体バンドの少なくとも２つのストリップが、各々分配端部のこれ自体の部分においてたわむように設計させる。最も簡単な場合において、分配装置端部は、従って、２つの部分を有し、これらの各々において、各々のストリップは、−好ましくは異なる方向にたわんでいる。このために、分配装置端部の２つの部分を、非線型方式で配置する。分配装置端部の２つの部分の間に、１°〜１７９°または１８１°〜３５９°の角度がある。この場合において、第１の担体バンドの２つのストリップ間の分離線または所定の破断線は、分配端部の２つの部分の交差点上に正確に通じている。
【０００９】
一次的バンドを、少なくとも２つのストリップに細分し、これを分配装置端部から個別に引くことにより、分配プロセスの間、バンドの方向にプラスターの安定化がもたらされる。これは、分配装置端部の非線型設計の場合において、ストリップが一方または両方の側に、バンドの移動の方向にではなく、各々バンドの移動の方向に対してある角度において引かれるという事実により促進される。
【００１０】
一次的バンドが少なくとも３つのストリップに分割される（即ち、少なくとも２つの分離または所定の破断線により）方法の他の態様は、最初に、一次的バンドの１または２以上の内部ストリップが、分配装置端部の第１の部分においてたわんでおり、本方法において、一次的バンドから剥離され、積層体が依然としてここに接着していることを特徴とする。この方法において、感圧性接着性積層体は、一次的バンドの外部ストリップと連結され続けている。外部ストリップは、その後、分配装置端部の他の部分によりたわみ、感圧性接着性積層体は、最終的に、二次的バンド上に放出され、分配される。
【００１１】
一次的担体ウェブの各々のストリップが、積層体部分の感圧性接着性表面の一部のみを覆い、この部分がこの結果、全体の感圧性接着力の一部のみに対抗する必要があるという事実により、強力に感圧性の接着性積層体部分の脱離を、ストリップ毎に、同時にまたはいくつかの段階において連続的に、困難を全く伴わずに達成することができる。
【００１２】
特に連続的脱離の場合において、感圧性接着力の一部のみに、同時に対抗する必要があるため、本発明の方法において、二次的担体バンドと比較して低い移送速度で一次的担体バンドを案内する手段を用いることも可能である。これにより、例えば、二次的バンド上への感圧性接着性積層体部分の遅延された配置または接着が可能になり、小さい部分のみが尚一次的担体ウェブに付着する。このようにして、一次的バンドと二次的バンドとの間にバンド速度における実質的な差異を実現し、これにより、個別の系間の距離を、他の手段を伴わずに増大させることが可能である。分配方法を、連続的または間欠的操作において達成することができる。
【００１３】
分配装置端部の周囲での一次的バンドのたわみにより、積層体を、脱離させ、二次的バンド上に分配させ、一次的担体バンドおよび二次的担体バンドおよび分配装置端部を備えた、感圧性接着性積層体または積層体部分を、可動性一次的担体バンドから可動性二次的担体バンドに移送するための装置は、一次的バンドが、前記バンドが移動方向に移動する間に少なくとも１つの分離および／または所定の破断線を備えるように配置された少なくとも１つの分離手段を有することを特徴とする。
【００１４】
他の態様において、方法を、分配装置端部（４）を、第１のサイクルにおいて、これ自体の駆動の補助により、バンド移動の方向に（いわゆる前進移動）移動させ、他のサイクルにおいて、感圧性接着性積層体（３）または積層体部分の分配の間またはこの後に、開始部分に戻してバンド移動の方向に対向して（いわゆる戻し移動）移動させることにより、サイクルで達成することができる。
【００１５】
装置の他の態様は、従属請求項に示されている。
本発明の他の詳細、特徴および利点は、図面に模式的に示す態様の２つの例の以下の説明から明らかになる。
【００１６】
分配装置端部４の周囲での一次的バンド１のたわみにより、積層体３を、脱離させ、二次的バンド２上に分配させる、感圧性接着性積層体３または積層体部分を、可動性一次的担体バンド１から可動性二次的担体バンド２に分配する方法は、図１および３ｂを併せて参照することから明らかになり、一次的バンド１を少なくとも２つのストリップ５、５’に分割し、ストリップが、分配装置端部４において個別にたわんでおり、積層体３が、方法において、ストリップ５、５’から除去され、二次的バンド２上に分配されるという事実を特徴とする。
【００１７】
この二次的バンド２を、一次的バンド１の排出側の方向にバンドの下から少なくとも１つのたわみロール１５により前進させることができる。
図１から明らかなように、Ｖ１およびＶ２のバンド速度は、異なり得、即ち、Ｖ２は、Ｖ１よりもゆっくりとまたは迅速に移動することができる。分配されるべき積層体部分３間の距離は、これにより、一層小さくまたは一層大きくなる。しかし、バンド速度Ｖ１およびＶ２は、また、等しいことができる。
【００１８】
本発明において、一次的バンド１を、少なくとも２つのストリップ５、５’に分離し、ストリップを、分配装置端部４の別個の部分において単一にたわませ、積層体３をストリップ５、５’から除去し、二次的バンド２上に分配させる。本発明に必須の観点として、分配装置端部４は、少なくとも２つの部分４’および４”を有する。これらの部分４’および４”は、１°〜１７９°および１８１°〜３５９°の角度を形成することができる。頂点１４は、ここでは、分配装置端部の２つの非線型的に配置された部分４’および４”の交差点を示す。分離または所定の破断線１０は、この点１４の上に正確に通じている。
好ましい角度は、５°〜１７５°の角度であり、特に好ましいのは、３０°〜１５０°の角度であり、一層特に９０°である。
【００１９】
この目的のために、図３、３ｂから明らかなように、一次的バンド１の領域において、少なくとも１つの分離手段１３が、一次的バンド１（しかし感圧性接着性積層体３または積層体部分ではない）が、分割され、弱くされるかまたは穴をあけられるようにして、配置される。
【００２０】
非線型および一次的バンド１における分配装置端部４が、２つのストリップに分離される方法の１つの態様は、ストリップ５、５’が、一次的バンド１の移動の方向にではなく、図１から明らかなように、各々両側の方向に一次的バンド１の移動の方向に対してある角度で引かれることを特徴とする。図１に示す例において、分配装置端部４は、９０°の角度において２つの部分を有し、これにより、２つのストリップ５、５’が、矢印１６により示すように、両側に、バンド移動の方向から各々直角に引かれる。
平面図および断面図における分配装置端部４の形状は、図２ａおよび２ｂから明らかである。
【００２１】
図３ａおよび３ｂは、これに適する装置を用いる方法の他の態様を、平面図（図３ａ）および側面図（図３ｂ）で示す。ここで、一次的ウェブ１は、３つのストリップ５、５’、５”に連続的に分離され、これらは、等しいかまたは異なる幅であることができる。バンドの移動の方向において、一次的バンド１の内部ストリップ５”は、最初は、分配装置端部４’の第１の部分上に導かれ、方法において、一次的バンド１から、および積層体３から引かれ、これは、一次的バンド１上に残留する。感圧性接着性積層体３は、一次的バンド１の外部ストリップ５、５’と、感圧性接着的に連結され続ける。
【００２２】
その後、一次的ウェブの外部ストリップ５、５’を、分配装置端部４”の他の部分上に導き、積層体３を、方法において脱離し、二次的バンド２上に分配する。また、ここで、分配装置端部は、非線型的に配置された部分４’および４”を有する。しかし、２つの部分４’および４”が、バンドの方向においてある距離で配置されているため、部分が、０°に等しくない角度を形成することは必要ではない。
【００２３】
一次的バンド１は、このように、感圧性接着性積層体３からいくつかの段階で連続的に剥離される。最後に、一次的支持バンド１を、二次的担体バンド２の速度とは異なる速度で、特に低い移送速度で、導くことができる。
【００２４】
分配装置端部４の周囲での一次的バンド１のたわみにより、積層体を、脱離させ、二次的バンド上に分配させる、感圧性接着性積層体または積層体部分３を、可動性一次的担体バンド１から可動性二次的担体バンド２に移送するための装置は、図面を一緒に参照する際に明らかになり、一次的担体バンド１および二次的担体バンド２、少なくとも１つの分配装置端部４および少なくとも１つの分離手段を備える。分離手段は、一次的バンド１に対して押圧する、固定的に位置する切断ブレード１３の形態とすることができる。これは、移動の方向への一次的バンド１の移動の間に、これが、一次的バンド１を、少なくとも２つのストリップ５、５’に、長さ方向に、好ましくは中央の領域において分離するように、構成し、配置することができる。
【００２５】
しかし、分離手段はまた、回転する切断ローラー、即ちいわゆる回転ナイフであることができる。分離手段は、担体バンドを、完全に分割することができるが、また前述のバンド中に部分的にのみ突出させ、従って弱体化の線（所定の破断線）を作成することができる。最後に、一次的バンドを、点状にまたは部分状にのみ分割するかまたは切断するべき場合には、線を、また、ミシン目として構成することができる。
【００２６】
装置の１つの態様は、脱離されるべき積層体３よりも狭い、中央ストリップ５”または少なくとも２つの内部ストリップ５を提供する。
本発明の他の態様は、図３ａから明らかであるように、部分が中央領域に配置される分配装置端部４の第１の部分４’および部分が外部領域に配置される分配装置端部４の他の部分４”を、バンド移動の方向に直角に構成するように提供する。
【００２７】
分配装置端部を、バンド移動の方向に対して斜めに配置する場合には、分配装置端部４のＶ型プロフィルを、少なくとも１つの段階で、バンド移動の方向に延在する切断線（１０、１０’）の両側に設ける手段を用いることも可能である。
【００２８】
最後に、分配装置端部４は、平面状であるように構成する必要はなく、代わりに、折りたたみ線の周囲に内方向に面する折りたたみを有することができ、この折りたたみ線は、バンド移動の方向に延在する。ここで、少なくとも１つの折りたたみ線の位置は、好ましくは、少なくとも１つの分離または所定の破断線の位置に対応する。
図２ａおよび２ｂから明らかなように、分配端部４の下流で、二次的担体バンド２が、移動部位のバンド移動の方向において、ローラー１５またはある種類の曲線的たわみ端部の形態のたわみ装置を介して転送されていることが好ましい。
【００２９】
分配端部を、図４に示す形状に構成することができる。分配装置端部のＶ型切断を、鈍角（Ａ’）または鋭角（Ａ”）に構成することができる。角度α（図４）は、５°〜１７５°の間で変化することができる。しかし、有利には、３０°〜１５０°、および特に有利には９０°の角度が、観察される。角度βおよびβ’を、非対称であるように構成する態様は、ここでは有利であり得る。
【００３０】
分配端部自体を、平面状になるように（Ａ）構成することができるが、非平面状分配装置端部（図４Ｂおよび４Ｃ；正面図）が特定の利点である態様もまた、考えられる。この場合において、分配装置端部のＶ型形状で分配することが、有利に可能である。ここで、感圧性接着性積層体部分を、折りたたみにより、第３の寸法において安定化する。
本発明は、有用であり、最初に述べた課題に対する最適な解決方法を提供する。
【図面の簡単な説明】
【図１】  装置の平面図である。
【図２ａ】  ９０°の角度を形成する２つの部分（４’および４”）を有する、非線型構成を有する分配装置端部の平面図である。
【図２ｂ】  図２ａにおける切断面ＩＩ−ＩＩに沿って切断した分配装置端部の断面図である。
【図３ａ】  中央部４’を２つの他の部分４”からある距離で移動の方向に配置した、分配装置の他の態様の平面図である。
【図３ｂ】  図３ａの分配装置の側面図である。
【図４】  分配端部の形状を示す図である。
【図１】
0004632611.tif 000002
【図２ａ】
0004632611.tif 000003
【図２ｂ】
0004632611.tif 000004
【図３ａ】
0004632611.tif 000005
【図３ｂ】
0004632611.tif 000006
【図４】
0004632611.tif 000007